(57)【要約】【課題】天板の下方に、電子機器等を収容しうるとともに、天板を安定よく支持することができ、また、天板の下方の支柱周りの錯雑さを解消し、椅子の移動の妨げとなるおそれを少なくしたテーブルを提供する。【解決手段】支持脚の中心に立設した支柱２の上部に、横長の天板４の長手方向の一端部を支持させたテーブルにおいて、支持脚が、支柱２の下端から放射状に延設された３本以上の脚杆５、６、６を備え、各脚杆のうちの少なくとも１つの脚杆５を、天板４の長手方向に沿う長脚とするとともに、他の脚杆６、６を、長脚と反対方向において開脚させた短脚とし、かつ支柱２の短脚側の側面に、電子機器等を支持する機器収容部１０、１１を設ける。【選択図】      図４
2008104533.tif 000002
【特許請求の範囲】
【請求項１】
支持脚の中心に垂直に立設した支柱の上部に、横長の天板の長手方向の一端部を支持させたテーブルにおいて、
前記支持脚が、前記支柱の下端から放射状に延設された３本以上の脚杆を備え、各脚杆のうちの少なくとも１つを、前記天板の長手方向に沿う長脚とするとともに、他の脚杆を、前記長脚と反対方向において開脚させた短脚とし、かつ前記支柱の短脚側の側面に、電子機器等を支持する機器支持部を設けたことを特徴とするテーブル。
【請求項２】
機器支持部における支柱側の側面に、配線収容部を設けた請求項１記載のテーブル。
【請求項３】
配線収容部の開口部を、着脱可能なカバーにより覆った請求項２記載のテーブル。
【請求項４】
天板を、支柱に、水平方向に回動可能として装着した請求項１〜３のいずれかに記載のテーブル。
【請求項５】
支柱の上部に、天板の上方に配設したディスプレイを支持する多関節アーム型のディスプレイ支持部材を設けた請求項１〜４のいずれかに記載のテーブル。
【請求項６】
ディスプレイ支持部材の取付基部を、天板と一体に回動可能として、支柱に取り付けた請求項５記載のテーブル。
【請求項７】
天板の前縁に、前下がり傾斜部を設けた請求項１〜６いずれか記載のテーブル。
【発明の詳細な説明】
【技術分野】
【０００１】
本発明は、コンピュータ作業用として好適なテーブルに関する。
【背景技術】
【０００２】
椅子の背もたれを後方に大きく傾けて、リラクセーシヨン姿勢で着座した状態で、コンピュータの入力作業を行うのに好適なテーブルとして、例えば、本出願人の出願に係る下記特許文献１に記載されているものがある。
このテーブルは、天板を、垂直の主軸と副軸とをもって、水平方向に関節アームのように回動可能に支持し、作業者の着座姿勢等に合わせて、天板を都合よく移動しうるようにしたものである。
【特許文献１】特開２００１−２３８７３４号公報
【発明の開示】
【発明が解決しようとする課題】
【０００３】
しかし、上記特許文献１に記載されているテーブルは、コンピュータ本体などの機器や、それとディスプレイ、キーボード、マウス等との配線接続や、ネットワークケーブルなどに対する接続などについては、特段に配慮されておらず、それらケーブル類の余長部分が、テーブル廻りに錯雑と配置されていたり、コンピュータ本体を収容するためのキャビネットや、ラックなどの什器を別途用意しなければならない。
【０００４】
また、天板を１本の支柱によって片持ち支持しているため、不安定になりやすい。この課題を解決するために、支柱の下端に配設される脚杆を、平面視Ｈ字形に形成して、天板を安定よく支持しているものもあるが、天板の下方において、床面にＨ形をなして設置されるため、椅子の移動が、脚杆によって妨げられるなどの問題もある。
【０００５】
本発明は、従来の技術が有する上記のような問題点に鑑み、天板の下方に、電子機器等を収容しうるとともに、天板を安定よく支持することができ、また、天板の下方の支柱周りの錯雑さを解消し、椅子の移動の妨げとなるおそれを小さくしたテーブルを提供することを目的としている。
【課題を解決するための手段】
【０００６】
本発明によると、上記課題は、次のようにして解決される。
（１）支持脚の中心に垂直に立設した支柱の上部に、横長の天板の長手方向の一端部を支持させたテーブルにおいて、前記支持脚が、前記支柱の下端から放射状に延設された３本以上の脚杆を備え、各脚杆のうちの少なくとも１つを、前記天板の長手方向に沿う長脚とするとともに、他の脚杆を、前記長脚と反対方向において開脚させた短脚とし、かつ前記支柱の短脚側の側面に、電子機器等を支持する機器支持部を設ける。
【０００７】
（２）上記(１)項において、機器支持部における支柱側の側面に、配線収容部を設ける。
【０００８】
（３）上記(２)項において、配線収容部の開口部を、着脱可能なカバーにより覆う。
【０００９】
（４）上記(１)〜(３)項のいずれかにおいて、天板を、支柱に、水平方向に回動可能として装着する。
【００１０】
（５）上記(１)〜(４)項のいずれかにおいて、支柱の上部に、天板の上方に配設したディスプレイを支持する多関節アーム型のディスプレイ支持部材を設ける。
【００１１】
（６）上記(５)項において、ディスプレイ支持部材の取付基部を、天板と一体に回動可能として、支柱に取り付ける。
【００１２】
（７）上記(１)〜(６)項のいずれかにおいて、天板の前縁に、前下がり傾斜部を設ける。
【発明の効果】
【００１３】
本発明によると、次のような効果を奏することができる。
請求項１記載の発明によると、機器支持部に電子機器等を収容することにより、別途それらの収納用の什器を設ける必要がなくなるとともに、収容した電子機器等の重量が、支柱に片持ち支持された天板の重心とバランスし、すなわちカウンターウエイトとして機能し、天板の片持ち支持による重力配分の不均衡を可級的に解消できる。
また、長脚が天板の長手方向に沿って配設されており、従来のように、支持脚を平面視Ｈ字状等とする必要がないので、長脚のみを椅子の脚の下方に潜入させて、テーブルを椅子に近接させて使用することができ、その際に、椅子の移動の妨げとなるおそれを少なくすることができる。
【００１４】
請求項２記載の発明によると、機器支持部の背面を利用して、配線収容部を設けてあるので、この配線収容部に、機器支持部に支持させた電子機器等と、天板上に載置した電子機器等との接続用の配線や、ネットワークケーブル等の余長部分を収容しておくことができ、天板の下方の支柱周りの錯雑さを解消することができる。
【００１５】
請求項３記載の発明によると、配線収容部の開口部を、着脱可能なカバーにより覆ってあるので、収容された配線等が、外部に露呈したり、はみ出したりすることがなく、体裁がよい。
【００１６】
請求項４記載の発明によると、天板を、支柱に、水平方向に回動可能として装着してあるので、着座者が席を立つ際には、天板を回動させればよく、椅子を移動させることなく席を離れることができる。
【００１７】
請求項５記載の発明によると、ディスプレイの荷重が天板に直接加わることがなく、これによっても天板の片持ち支持による重力配分の不均衡を可級的に解消できる。
【００１８】
請求項６記載の発明によると、天板を回動させると、ディスプレイもそれにしたがって同一角度だけ回動するので、ディスプレイを個別に回動させる必要がなく、使い勝手がよい。
【００１９】
請求項７記載の発明によると、キーボード操作を行うオペレータの掌を、前下がり傾斜部に当てて作業を行うことができ、長時間のキーボード操作による疲労を軽減することができる。
【発明を実施するための最良の形態】
【００２０】
図１〜図６は、本発明の第１の実施形態を示す。
このテーブル１は、上下方向を向く支柱２と、この支柱２の上端に、支柱２の中心軸線の延長線回りに回動可能として連結された回動軸３の上端に、長手方向の一端部下面が固着された、平面視ほぼ長方形の天板４と、支柱２の下端に放射状に配設された３本の脚杆５、６、６を有し、中心部に支柱２が立設された支持脚とを備えている。
【００２１】
天板４の長手方向前縁には、前下がり傾斜部４ａが形成されている。また、天板４の床面ＦＬからの高さは、テーブル１と組み合わせて使用されるキャスタ付リクライニングシート８、および足置き台９に、着座者(図６参照)がリクライニング姿勢で着座した状態で、コンピュータの入力作業を行うのに最適な高さに設定されている。
【００２２】
各脚杆５、６、６のうち、脚杆５は、天板４の長手方向に沿った方向を向く長脚であり、脚杆６、６は、長脚と反対方向であって、所定の開脚角度で配設された短脚としてあり、図３に示すように、脚杆５同士の開脚角度(α１)は、約１３４°とやや広い角度であり、脚杆５と各脚杆６との開脚角度(α２)は、約１１３°と、やや狭くしてあり、いずれの脚杆５、６も、その先端には床面ＦＬに接するねじ調整式のアジャスタ７が設けられている。
【００２３】
支柱２の脚杆６、６側の側面には、機器収容部を構成する正面視Ｌ字状の機器支持板１０が、溶接等をもって固着されており、この機器支持板１０の水平部の下面には、同じくＬ字状の押え板１１の水平部が、図１および図２に示すように、締め付け用の蝶ナット１２を緩めたり締め付けたりすることにより、左右方向に取付位置調節可能として取付けられている。
したがって、ここに支持させようとするコンピュータ本体１３の厚さ等に応じて、機器支持板１０と押え板１１との距離を、最適に調整することができるようになっている。
【００２４】
機器支持板１０における支柱２側の側面は、配線収容部１４となっており、図３に示すように、その側面には、配線やケーブル類を、上下に巻取って収容するための複数のフック等が設けられている。
配線等は、天板４上に載置されるキーボード１５やマウス１６等から導出され、コンピュータ本体１３に接続されるケーブル、天板４の上方に配置されるディスプレイ１７とコンピュータ本体１３とを接続するケーブル、他のコンピュータ、プリンタや電話回線等と接続する外部接続用のネットワークケーブル、電源コードなどの余長部分である。
【００２５】
この配線収容部１４の開口部である機器支持板１０の側面は、支柱２にねじ止めすることにより固定される着脱可能のカバー１８をもって覆われているので、巻取部分に巻回された配線等が外部に露呈したり、はみ出したりすることがなく、体裁がよい。
【００２６】
図２、図３、および図６に示すように、天板４の下方における回転軸３には、ディスプレイ１７を支持するディスプレイ支持部材１９の取付基部を固定するための水平の取付台２０が固着されている。ディスプレイ支持部材１９は、ディスプレイ１７を、上下移動、水平回動、および前後に傾動可能として支持しうる多関節アーム型のものとするのが好ましいが、その他の型式のものとしてもよい。
【００２７】
テーブル１は、その長脚である脚杆５を、図１に示すように、リクライニングシート８の下方に潜入させることにより、天板４がリクライニングシート８の座部の直上に位置するように、リクライニングシート８に近接させて配置され、図４に示すように、機器収容部である機器支持板１０と押え板１１との間に、コンピュータ本体１３を収容し、天板４上にキーボードとマウスを載置し、ディスプレイ支持部材１９にディスプレイ１７を装着し、それらの電子機器の接続用配線、電源コード、ネットワークケーブル等の余長分を、配線収容部１４に収容して使用される。
【００２８】
その状態で、リクライニングシート８の着座者は、図６に示すように、足を足置き台９に乗せ、掌を天板４の前下がり傾斜部４ａ上に置き、背もたれを若干後傾させたリラクゼーシヨン姿勢で、コンピュータの入力作業等を行うことができる。このような姿勢で作業を行うと、長時間作業をしても、疲労を感ずることがない。
【００２９】
この作業状態から、着座者が作業を中断し、席を離れる場合には、天板４を前方に水平回動させることにより、天板４が妨げとなることなく、楽に離席することができる。
【００３０】
図７は、本発明の第２の実施形態を示す。なお以降の説明においては、第１の実施形態と同一の部材には、同一の符号を付して示し、それらについての詳細な説明は省略する。
図７において、回動軸３は天板４の長手方向の一側部を上下に貫通し、天板４より上方に突出する上端部には、ディスプレイ支持部材２１における垂直筒状の取付基部が、回動可能に外嵌され、このディスプレイ支持部材２１に、ディスプレイ１７が支持されていること以外は、第１の実施形態と同一である。
この実施形態においては、天板４の下方に配設される取付台２０が不要となるため、ディスプレイ支持部材２１の取付構造が簡略化される。
【００３１】
図８は、本発明の第３の実施形態を示す。この実施形態においては、上述したディスプレイ支持部材を省略しただけの簡易構成となっている。したがって、この実施形態は、例えばノート型パソコン２２などを天板４上に載置して入力作業をする上で好適である。また、機器収容部である機器支持板１０と押え板１１との間に、コンピュータ本体１３等を収容させる必要がないので、この場合は、ここに、コンピュータ本体１３に代えて、アタッシュケースなどの鞄類２３その他のものを収容しておくことができる。
【００３２】
本発明は、上記の実施形態のみに制限されるものではなく、特許請求の範囲を逸脱しない範囲で、変形した態様での実施が可能である。
例えば、長脚を２本とし、それらが、支持脚の中心から微小な角度をもって拡開するようにしてもよい。
【図面の簡単な説明】
【００３３】
【図１】本発明のテーブルの第１の実施形態と椅子とを組合せた状態を示す正面図である。
【図２】同じく右側面図である。
【図３】テーブルの一部を分解して、左斜め前方より見た斜視図である。
【図４】テーブルの組立状態を左斜め前方より見た斜視図である。
【図５】同じく右斜め前方より見た斜視図である。
【図６】使用状態としたときの図１の左側面図である。
【図７】本発明のテーブルの第２の実施形態を左斜め前方より見た斜視図である。
【図８】本発明のテーブルの第３の実施形態を左斜め前方より見た斜視図である。
【符号の説明】
【００３４】
１  テーブル
２  支柱
３  回動軸
４  天板
４ａ前下がり傾斜部
５  脚杆(長脚)
６  脚杆(短脚)
７  アジャスタ
８  リクライニングシート
９  足置き台
１０  機器支持板(機器収容部)
１１  押え板(機器収容部)
１２  蝶ナット
１３  コンピュータ本体
１４  配線収容部
１５  キーボード
１６  マウス
１７  液晶ディスプレイ
１８  カバー
１９  ディスプレイ支持部材
２１  ディスプレイ支持部材
２０  取付台
２２  ノートパソコン
２３  鞄類
ＦＬ  床面
【図１】
2008104533.tif 000003
【図２】
2008104533.tif 000004
【図３】
2008104533.tif 000005
【図４】
2008104533.tif 000006
【図５】
2008104533.tif 000007
【図６】
2008104533.tif 000008
【図７】
2008104533.tif 000009
【図８】
2008104533.tif 000010